(57)【要約】【課題】ユーザが所望する制御に関する情報を提示することができる制御機器を提供することを目的とする。【解決手段】  制御機器１は、制御システムの一部を構成する機器であり、制御に関する複数の制御情報を記憶するように構成された情報記憶部１３と、情報記憶部１３に記憶された複数の制御情報の各々に対応付けられ、操作入力を受け付ける複数の操作部１１と、複数の制御情報のうち、操作入力を受け付けた操作部１１に対応する制御情報を情報記憶部１３から取り出して提示するように構成された提示処理部１４とを備える。【選択図】  図３
2019125898.tif 000002
【特許請求の範囲】
【請求項１】
制御システムの一部を構成する制御機器であって、
制御に関する複数の制御情報を記憶するように構成された情報記憶部と、
前記情報記憶部に記憶された前記複数の制御情報の各々に対応付けられ、操作入力を受け付ける複数の操作部と、
前記複数の制御情報のうち、操作入力を受け付けた操作部に対応する制御情報を前記情報記憶部から取り出して提示するように構成された提示処理部と
を備えることを特徴とする制御機器。
【請求項２】
請求項１に記載の制御機器において、
前記複数の制御情報の各々に前記複数の操作部のいずれかを割り当てる設定を行う割り当て設定部をさらに備えることを特徴とする制御機器。
【請求項３】
請求項１または請求項２に記載の制御機器において、
前記制御情報を符号化して光学的に読み取り可能なパターンを有するコードに変換するように構成されたコード処理部をさらに備え、
前記提示処理部は、前記コード処理部が変換した前記コードを表示部に表示することを特徴とする制御機器。
【請求項４】
請求項１または請求項２に記載の制御機器において、
前記提示処理部は、近距離無線通信により前記制御情報を提示することを特徴とする制御機器。
【請求項５】
制御システムの一部を構成する制御機器と、前記制御機器と通信可能な携帯端末装置とを備え、
前記制御機器は、
制御に関する複数の制御情報を記憶するように構成された情報記憶部と、
前記情報記憶部に記憶された前記複数の制御情報の各々に対応付けられ、操作入力を受け付ける複数の操作部と、
前記複数の制御情報のうち、操作入力を受け付けた操作部に対応する制御情報を前記情報記憶部から取り出して提示するように構成された提示処理部と、
を備え、
前記携帯端末装置は、
前記制御情報を受け付けるように構成された受け付け処理部と、
受け付けられた前記制御情報を表示するように構成された端末側表示部と
を備えることを特徴とする情報提示システム。
【請求項６】
請求項５に記載の情報提示システムにおいて、
前記制御機器は、
前記複数の制御情報の各々に前記複数の操作部のいずれかを割り当てる設定を行う割り当て設定部をさらに備えることを特徴とする情報提示システム。
【請求項７】
請求項５または請求項６に記載の情報提示システムにおいて、
前記制御機器は、
前記制御情報を符号化して光学的に読み取り可能なパターンを有するコードに変換するように構成されたコード処理部をさらに備え、
前記提示処理部は、前記コード処理部が変換した前記コードを表示部に表示し、
前記携帯端末装置が備える前記受け付け処理部は、前記コードを受け付けて、光学的に読み取ってデコードし、
前記端末側表示部は、デコードされた前記コードに対応する前記制御情報を表示することを特徴とする情報提示システム。
【請求項８】
請求項５または請求項６に記載の情報提示システムにおいて、
前記制御機器が備える前記提示処理部は、近距離無線通信を行って前記制御情報を提示するように構成されたＮＦＣタグを有し、
前記携帯端末装置が備える前記受け付け処理部は、前記近距離無線通信により前記制御情報を受け付けるように構成されたＮＦＣリーダを有し、
前記端末側表示部は、前記ＮＦＣリーダで受け付けた前記制御情報を表示することを特徴とする情報提示システム。
【発明の詳細な説明】
【技術分野】
【０００１】
本発明は、制御機器および情報提示システムに関し、特に制御に関する情報を提示する技術に関する。
【背景技術】
【０００２】
従来より、制御システムの一部を構成するセンサやアクチュエータなどのフィールド機器やコントローラなどの制御機器において、測定値や制御パラメータの現在値やエラー内容など制御に関する情報を提示する場合には、制御機器とネットワークを介して接続されているコンピュータやリモコンなどの専用端末に、制御に関する情報を提示することが行われている。
【０００３】
また、制御機器本体に制御に関する情報を表示させる場合には、従来から小型の液晶画面を使用して二次元コードに変換して表示していた。例えば、特許文献１は、制御機器のパラメータ情報をＱＲコード（登録商標）に変換して表示部の液晶画面に表示し、制御機器に表示されたＱＲコードをＱＲコード読み取り装置で読み取ってデコードする技術を開示している。
【先行技術文献】
【特許文献】
【０００４】
【特許文献１】特開２０１７−２０８７８号公報
【発明の概要】
【発明が解決しようとする課題】
【０００５】
しかし、特許文献１に記載された技術では、制御機器に設けられた小型の液晶画面に、制御機器が行う制御に関する様々な情報のうち、予め定められた特定の情報を１つのＱＲコードにより表示していた。そのため、特許文献１に記載された技術では、制御機器の制御に関する情報のうちユーザが所望する情報を切り替えて提示することができなかった。
【０００６】
本発明は、上述した課題を解決するためになされたものであり、ユーザが所望する制御に関する情報を提示することができる制御機器を提供することを目的とする。
【課題を解決するための手段】
【０００７】
上述した課題を解決するために、本発明に係る制御機器は、制御システムの一部を構成する制御機器であって、制御に関する複数の制御情報を記憶するように構成された情報記憶部と、前記情報記憶部に記憶された前記複数の制御情報の各々に対応付けられ、操作入力を受け付ける複数の操作部と、前記複数の制御情報のうち、操作入力を受け付けた操作部に対応する制御情報を前記情報記憶部から取り出して提示するように構成された提示処理部とを備えることを特徴とする。
【０００８】
また、本発明に係る制御機器において、前記複数の制御情報の各々に前記複数の操作部のいずれかを割り当てる設定を行う割り当て設定部をさらに備えていてもよい。
【０００９】
また、本発明に係る制御機器において、前記制御情報を符号化して光学的に読み取り可能なパターンを有するコードに変換するように構成されたコード処理部をさらに備え、前記提示処理部は、前記コード処理部が変換した前記コードを表示部に表示してもよい。
【００１０】
また、本発明に係る制御機器において、前記提示処理部は、近距離無線通信により前記制御情報を提示してもよい。
【００１１】
また、本発明に係る情報提示システムは、制御システムの一部を構成する制御機器と、前記制御機器と通信可能な携帯端末装置とを備え、前記制御機器は、制御に関する複数の制御情報を記憶するように構成された情報記憶部と、前記情報記憶部に記憶された前記複数の制御情報の各々に対応付けられ、操作入力を受け付ける複数の操作部と、前記複数の制御情報のうち、操作入力を受け付けた操作部に対応する制御情報を前記情報記憶部から取り出して提示するように構成された提示処理部と、を備え、前記携帯端末装置は、前記制御情報を受け付けるように構成された受け付け処理部と、受け付けられた前記制御情報を表示するように構成された端末側表示部とを備えることを特徴とする。
【００１２】
また、本発明に係る情報提示システムにおいて、前記制御機器は、前記複数の制御情報の各々に前記複数の操作部のいずれかを割り当てる設定を行う割り当て設定部をさらに備えていてもよい。
【００１３】
また、本発明に係る情報提示システムにおいて、前記制御機器は、前記制御情報を符号化して光学的に読み取り可能なパターンを有するコードに変換するように構成されたコード処理部をさらに備え、前記提示処理部は、前記コード処理部が変換した前記コードを表示部に表示し、前記携帯端末装置が備える前記受け付け処理部は、前記コードを受け付けて、光学的に読み取ってデコードし、前記端末側表示部は、デコードされた前記コードに対応する前記制御情報を表示してもよい。
【００１４】
また、本発明に係る情報提示システムにおいて、前記制御機器が備える前記提示処理部は、近距離無線通信を行って前記制御情報を提示するように構成されたＮＦＣタグを有し、前記携帯端末装置が備える前記受け付け処理部は、前記近距離無線通信により前記制御情報を受け付けるように構成されたＮＦＣリーダを有し、前記端末側表示部は、前記ＮＦＣリーダで受け付けた前記制御情報を表示してもよい。
【発明の効果】
【００１５】
本発明によれば、複数の制御情報のうち、操作入力を受け付けた複数の操作部のいずれかに対応する制御情報を提示するので、ユーザが所望する制御に関する情報を提示することができる。
【図面の簡単な説明】
【００１６】
【図１】図１は、本発明の第１の実施の形態に係る情報提示システムの概要を説明するための図である。
【図２】図２は、本発明の第１の実施の形態に係る制御機器のハードウェア構成を示すブロック図である。
【図３】図３は、本発明の第１の実施の形態に係る制御機器の機能ブロック図である。
【図４】図４は、本発明の第１の実施の形態に係る制御機器の動作を説明するフローチャートである。
【図５】図５は、本発明の第２の実施の形態に係る制御機器の機能ブロック図である。
【発明を実施するための形態】
【００１７】
以下、本発明の好適な実施の形態について、図１から図５を参照して詳細に説明する。
［第１の実施の形態］
図１は、本発明の第１の実施の形態に係る情報提示システムの概要を説明するための図である。
【００１８】
［情報提示システムの概要］
図１に示すように、本発明の第１の実施の形態に係る情報提示システムは、制御機器１と、携帯端末装置２とを備える。情報提示システムは、制御機器１が行う制御に関する情報（以下、「制御情報」という。）を提示する。
【００１９】
制御機器１は、制御システムの一部を構成する流量計、圧力センサ、バルブポジショナなどのフィールド機器やコントローラなどの機器である。
【００２０】
制御機器１は、液晶画面１５ａと複数の操作ボタン（操作部）１１ａ、１１ｂ、１１ｃとを有し、ユーザによるボタンの押下による操作入力は、いずれかの操作ボタン１１ａ、１１ｂ、１１ｃによって受け付けられる。制御機器１は、操作入力を受け付けた操作ボタン１１ａ、１１ｂ、１１ｃに割り当てられている制御情報をＱＲコードに変換して液晶画面１５ａに表示する。
【００２１】
携帯端末装置２は、制御機器１に表示されたＱＲコードの画像を読み取ってデコードし、携帯端末装置２に含まれる表示部２１にデコードした制御情報を表示する。制御情報とは、例えば、制御機器１の測定値や制御パラメータなどの現在値情報、設定値情報、およびエラー情報などを含む。なお、制御情報の詳細は後述する。
【００２２】
［制御機器のハードウェア構成］
次に、本実施の形態に係る制御機器１のハードウェア構成について、図２を参照して説明する。本実施の形態に係る制御機器１はフィールド機器によって実現される場合について説明するが、制御機器１は、制御システムの階層構造においてフィールド機器の上位に位置するコントローラであってもよい。
【００２３】
図２に示すように、制御機器１は、バス１０１を介して接続されるＣＰＵ１０３と主記憶装置１０４とを有する演算装置１０２、通信制御装置１０５、外部記憶装置１０６、入力装置１０７、表示装置１０８、Ｉ／Ｆ１０９、センサ１１０を備えるコンピュータと、これらのハードウェア資源を制御するプログラムによって実現することができる。
【００２４】
ＣＰＵ１０３と主記憶装置１０４とは、演算装置１０２を構成する。主記憶装置１０４には、ＣＰＵ１０３が各種制御や演算を行うためのプログラムが予め格納されている。
【００２５】
通信制御装置１０５は、制御機器１と各種外部電子機器との間をネットワーク接続するための制御装置である。本実施の形態では、制御機器１は、伝送路Ｌで構成されるネットワークを介して図示しないＩ／Ｏモジュールやコントローラ、上位監視装置に接続されている。
【００２６】
外部記憶装置１０６は、読み書き可能な記憶媒体と、その記憶媒体に対してプログラムやデータなどの各種情報を読み書きするための駆動装置とで構成されている。外部記憶装置１０６には、記憶媒体としてハードディスクやフラッシュメモリなどの半導体メモリを使用することができる。外部記憶装置１０６は、情報記憶部１０６ａ、割り当て設定記憶部１０６ｂ、プログラム格納部１０６ｃ、図示しないその他の格納装置で、例えば、この外部記憶装置１０６内に格納されているプログラムやデータなどをバックアップするための格納装置などを有することができる。
【００２７】
情報記憶部１０６ａは、制御機器１の制御情報を記憶する。情報記憶部１０６ａが記憶する制御情報は、前述した現在値情報、設定値情報、およびエラー情報などを含む。例えば、制御機器１が制御する制御対象の温度や湿度の設定値や現在値の情報、電源電圧の低下に伴うエラー情報、内部演算に用いるパラメータ設定情報、制御機器１のＩＰアドレス、制御機器１の通信の詳細設定を表す通信ポート番号設定、およびボーレート設定などが含まれる。
【００２８】
割り当て設定記憶部１０６ｂは、後述する複数の操作ボタン１１ａ、１１ｂ、１１ｃそれぞれに割り当てられている制御情報を記憶する。より詳細には、次の表１に示すように、割り当て設定記憶部１０６ｂは、各操作ボタン１１ａ、１１ｂ、１１ｃ、・・・と制御情報とを互いに関連付けて記憶する。
【００２９】
【表１】
2019125898.tif 000003
【００３０】
表１に示すように、割り当て設定記憶部１０６ｂは、操作ボタン１１ａ、１１ｂ、１１ｃ、・・・各々と関連付けられた制御情報に加えて、制御情報の用途に関する情報を含んでいてもよい。なお、制御情報の用途とは、後述するように制御情報の利用対象者を示す。
【００３１】
より詳細には、割り当て設定記憶部１０６ｂは、「操作ボタン」、「用途」、「機能」、および「機能詳細」の項目を含む。「操作ボタン」は、制御機器１に設けられている操作ボタンの識別情報を示す。「用途」は、制御情報の使用対象者の区分を示す。「機能」と「機能詳細」とは制御情報の区分を示す。「機能」は、制御情報の上位概念の区分を示す。さらに、「機能詳細」は、「機能」に対応する制御情報の詳細を示す。
【００３２】
プログラム格納部１０６ｃには、本実施の形態における割り当て設定処理や、ＱＲコード処理、提示処理などの制御情報の提示に必要な処理を実行するための各種プログラムが格納されている。
【００３３】
入力装置１０７は、複数の操作ボタン１１ａ、１１ｂ、１１ｃを有する。また、入力装置１０７は、操作ボタン１１ａ、１１ｂ、１１ｃの割り当て設定を入力する場合の入力手段を構成する。入力装置１０７は文字入力などを行うためのキーなど各種キーが配置されているキーボードやタッチパネルなどの構成を含む。
【００３４】
操作ボタン１１ａ、１１ｂ、１１ｃは、予め設定された機能を実行するためのファンクションボタンである。操作ボタン１１ａ、１１ｂ、１１ｃは、制御機器１の本体外面に配設される。操作ボタン１１ａ、１１ｂ、１１ｃは、複数配設され、それぞれ押しボタンで構成される。
【００３５】
表示装置１０８は、例えば液晶ディスプレイなどが使用される。表示装置１０８は、制御機器１の本体外面に配設される。表示装置１０８には、制御情報を示すＱＲコードの画像が表示される。
【００３６】
Ｉ／Ｆ１０９は、各種機器を接続するためのインターフェースである。本実施の形態では、センサ１１０が接続されており、Ｉ／Ｆ１０９を介してセンサ情報が取得される。
【００３７】
センサ１１０は、制御機器１が制御対象を制御するためのセンサである。例えば、制御機器１が流量計の場合には、温度センサ、および流量測定センサなどを含む。
【００３８】
［制御機器の機能ブロック］
上述した構成を有する制御機器１の機能ブロックについて、図３を参照して説明する。図３に示すように、制御機器１は、割り当て設定部１０、操作部１１、ＱＲコード処理部（コード処理部）１２、情報記憶部１３、提示処理部１４、および表示部１５を備える。
【００３９】
割り当て設定部１０は、入力装置１０７からの入力に応じて、複数の制御情報の各々に複数の操作部１１のいずれかを割り当てる設定を行う。各操作部１１の割り当ての設定は、割り当て設定記憶部１０６ｂに記憶される。割り当て設定部１０は、図２に示した演算装置１０２および外部記憶装置１０６によって実現される。
【００４０】
操作部１１は、複数の操作ボタン１１ａ、１１ｂ、１１ｃにより実現される。操作部１１は、情報記憶部１３（１０６ａ）に記憶された複数の制御情報の各々に対応付けられ、操作入力を受け付ける。より詳細には、複数の操作ボタン１１ａ、１１ｂ、１１ｃの各々には、情報記憶部１３（１０６ａ）に記憶されている複数の制御情報のうち、予め割り当てられた制御情報が対応付けられている。
【００４１】
したがって、操作ボタン１１ａ、１１ｂ、１１ｃのいずれかでユーザの操作入力が受け付けられると、該当する操作ボタン１１ａ、１１ｂ、１１ｃを示す信号が出力され、その出力信号により制御情報の提示処理が発生する。なお、操作ボタンの数は、３つの場合について説明するが、複数であれば３つ以外であってもよい。
【００４２】
ＱＲコード処理部１２は、複数の制御情報のうち、操作入力を受け付けた操作部１１の操作ボタン１１ａ、１１ｂ、１１ｃのいずれかに対応する制御情報を符号化して、光学的に読み取り可能なパターンを有するコードに変換する。
【００４３】
より詳細には、ＱＲコード処理部１２は、後述する提示処理部１４からの指示が入力されると、提示処理部１４が読み出した制御情報をＱＲコードに変換する。ＱＲコード処理部１２によって変換され生成されたＱＲコードは、提示処理部１４に出力される。ＱＲコード処理部１２は、図２に示した演算装置１０２および外部記憶装置１０６によって実現される。
【００４４】
情報記憶部１３は、制御機器１が行う制御に関する複数の制御情報を記憶する。情報記憶部１３は、図２で説明した情報記憶部１０６ａに対応する。
【００４５】
提示処理部１４は、情報記憶部１３に記憶されている複数の制御情報のうち、操作入力を受け付けたいずれかの複数の操作部１１に対応する制御情報を情報記憶部１３から取り出して提示する。
【００４６】
より詳細には、提示処理部１４は、操作部１１から出力された、ユーザの操作入力に対応する操作ボタン１１ａ、１１ｂ、１１ｃを示す信号が入力されると、割り当て設定記憶部１０６ｂに記憶されている割り当て設定情報にしたがって、対応する制御情報を情報記憶部１３から読み出す。また、提示処理部１４は、ＱＲコード処理部１２に対して、読み出した制御情報をＱＲコードに変換する指示を送る。さらに、提示処理部１４は、ＱＲコード処理部１２から、変換および生成されたＱＲコードを取得して、表示部１５にＱＲコードの画像を表示する。提示処理部１４は、図２に示した演算装置１０２および外部記憶装置１０６によって実現される。
【００４７】
表示部１５は、図２で説明した表示装置１０８に対応する。
【００４８】
［携帯端末装置の構成および機能ブロック］
次に、本実施の形態に係る携帯端末装置２の構成および機能ブロックについて図３を参照して説明する。携帯端末装置２は、スマートフォンなどの情報通信端末が用いられる。携帯端末装置２は、ＣＰＵと主記憶装置とを有する演算装置、各種外部電子機器との間をネットワーク接続するための通信制御装置、表示装置、カメラなどを備えるコンピュータと、これらのハードウェア資源を制御するプログラムによって実現することができる。
【００４９】
携帯端末装置２は、図３に示すように、ＱＲコード読取部（受け付け処理部）２０と表示部（端末側表示部）２１とを備える。
【００５０】
ＱＲコード読取部２０は、制御機器１の表示部１５に表示された制御情報を示すＱＲコードを受け付けて、光学的に読み取りデコードする。より詳細にはＱＲコード読取部２０は、携帯端末装置２が有するカメラ（図示しない）で制御機器１の表示部１５に表示されたＱＲコードを含む画像を撮像し、ＱＲコードを認識する。ＱＲコード読取部２０は、撮像したＱＲコードの画像からＱＲコードを抽出し、ＱＲコード規格にしたがってデコードを行う。
【００５１】
表示部２１は、ＱＲコード読取部２０によってデコードされたＱＲコードの情報を表示する。表示部２１に表示されるデコードされた制御情報は、図１に示すように、例えば、操作ボタン１１ａ、１１ｂ、１１ｃの識別情報、制御情報の種別、制御情報の詳細などが含まれる。
【００５２】
例えば、操作ボタン１１ａがユーザによる操作入力を受け付けた場合には、操作ボタン１１ａの識別情報「ファンクション１」、操作ボタン１１ａに割り当てられている制御情報、すなわち上述した表１の「機能」と「機能詳細」とに対応する制御情報の詳細「エラーコードＥ１：バッテリー電圧低下」、および制御情報の詳細に対する対応策「バッテリーを交換してください。」と表示される。
【００５３】
［制御機器の動作］
次に、上述した構成を有する制御機器１が制御情報を提示させる動作について、図４のフローチャートを参照して説明する。まず、制御機器１は、入力装置１０７から操作部１１が有する複数の操作ボタン１１ａ、１１ｂ、１１ｃ各々の制御情報の割り当ての設定を受け付ける（ステップＳ１）。割り当て設定部１０は、入力装置１０７からの割り当て設定の入力に基づいて、操作ボタン１１ａ、１１ｂ、１１ｃのそれぞれに制御情報を割り当てる（ステップＳ２）。
【００５４】
割り当て設定部１０は、操作ボタン１１ａ、１１ｂ、１１ｃのそれぞれに割り当てられた制御情報を割り当て設定記憶部１０６ｂに記憶する。なお、割り当て設定部１０は、前述したように、制御情報の用途ごとに、一般ユーザを対象とした制御情報と、サービスマンを対象とした制御情報とを区別して設定してもよい。
【００５５】
例えば、互いに隣接して配設されている操作ボタン１１ａおよび操作ボタン１１ｂには一般ユーザ向けの専門知識を伴わない制御情報を割り当て、操作ボタン１１ｃにはサービスマン向けのより技術的な制御情報を割り当てる。このように操作ボタン１１ａ、１１ｂ、１１ｃの制御機器１における配置も考慮して操作ボタン１１ａ、１１ｂ、１１ｃの割り当て設定を行うことができる。
【００５６】
次に、操作部１１は、いずれかの操作ボタン１１ａ、１１ｂ、１１ｃから操作入力を受け付ける（ステップＳ３）。具体的には、ユーザによって操作ボタン１１ａ、１１ｂ、１１ｃのうちのいずれかが選択されて、押下される。例えば、操作ボタン１１ａがユーザによって選択され押下されると、操作ボタン１１ａを示す信号が出力される。
【００５７】
次に、選択された操作ボタン１１ａを示す信号が出力されると、提示処理部１４は、割り当て設定記憶部１０６ｂに記憶されている割り当て設定情報にしたがって、情報記憶部１３から操作ボタン１１ａに割り当てられている制御情報を読み出す（ステップＳ４）。上述した表１に示すように、提示処理部１４は、例えば、操作ボタン１１ａに割り当てられている制御情報、すなわちバッテリー電圧に関するエラー情報を情報記憶部１３から読み出す。例えば、バッテリー電圧が低下している旨の情報が情報記憶部１３から読み出される。
【００５８】
その後、ＱＲコード処理部１２は、提示処理部１４からの指示を受けて、読み出された制御情報をＱＲコードに変換する（ステップＳ５）。次に、提示処理部１４は、ＱＲコード処理部１２によって変換されて生成されたＱＲコードの画像を表示部１５に表示する（ステップＳ６）。具体的には、操作ボタン１１ａに割り当てられている、バッテリー電圧に関するエラー情報を示す情報、すなわちバッテリー電圧が低下していることを示すＱＲコードが表示部１５に表示される。
【００５９】
また、制御機器１の表示部１５に表示されたＱＲコードは、携帯端末装置２のＱＲコード読取部２０によって光学的に読み取られてデコードされる。その後、携帯端末装置２の表示部２１にデコードされたＱＲコードに対応する制御情報が表示される。
【００６０】
以上説明したように、第１の実施の形態によれば、制御機器１は、複数の操作ボタン１１ａ、１１ｂ、１１ｃの各々に制御情報が割り当てられており、ユーザからの操作入力をいずれかの操作ボタン１１ａ、１１ｂ、１１ｃで受け付ける。そのため、ユーザが所望する制御情報を提示することができる。
【００６１】
また、第１の実施の形態によれば、制御機器１は、ＱＲコード処理部１２が、操作入力に応じた制御情報をＱＲコードに変換し、提示処理部１４が変換されたＱＲコードの画像を表示部１５に表示するので、１つの表示部１５において異なる用途の制御情報を切り替えて表示することができる。
【００６２】
また、第１の実施の形態によれば、携帯端末装置２によって制御機器１に表示されたＱＲコードが読み取られ、デコードされる。そして、デコードされた制御情報は、携帯端末装置２の表示部２１に表示される。そのため、制御機器１が接続されている伝送路Ｌにおいて通信の不具合などが発生した場合であっても、制御機器１は携帯端末装置２に対して直接に必要に応じた制御情報を提示することができる。
【００６３】
なお、説明した実施の形態では、制御機器１は、ＱＲコード処理部１２を有し、操作入力に応じた制御情報をＱＲコードに変換する場合について説明した。しかし、制御機器１が提示する制御情報の形態はＱＲコードに限られない。例えば、バーコードのような一次元コードや、カメレオンコードのようなカラーコードなどを用いてもよい。
【００６４】
また、説明した実施の形態では、スマートフォンなどの携帯通信端末で実現される携帯端末装置２を用いる場合について説明した。しかし、携帯端末装置２は、制御機器１によって変換され表示されるＱＲコードなどを読み取ってデコードする専用のリーダであってもよい。
【００６５】
また、説明した実施の形態では、操作部１１は、複数の操作ボタン１１ａ、１１ｂ、１１ｃを有する場合について説明したが、操作部１１は、ユーザによる操作入力を受け付けることが可能な操作部であれば、操作ボタン１１ａ、１１ｂ、１１ｃに限られない。例えば、操作部１１を、タッチパネル、操作ダイヤル、操作レバー、ディップスイッチ、光スイッチなどで実現してもよい。
【００６６】
［第２の実施の形態］
次に、本発明の第２の実施の形態について説明する。なお、以下の説明では、上述した第１の実施の形態と同じ構成については同一の符号を付し、その説明を省略する。
【００６７】
第１の実施の形態では、制御機器１は、ＱＲコード処理部１２を有し、操作入力を受け付けた操作ボタン１１ａ、１１ｂ、１１ｃに対応する制御情報をＱＲコードに変換して、ＱＲコードの画像を表示部１５に表示する場合について説明した。これに対して、第２の実施の形態では、提示処理部１４Ａは、ＮＦＣタグ１６を有する。
【００６８】
図５は、第２の実施の形態に係る情報提示システムの構成を示すブロック図である。図５に示すように、情報提示システムは制御機器１Ａと携帯端末装置２Ａとを備える。
【００６９】
制御機器１Ａは、割り当て設定部１０、操作部１１、情報記憶部１３、提示処理部１４Ａ、およびＮＦＣタグ１６を備える。割り当て設定部１０、操作部１１、および情報記憶部１３の構成は第１の実施の形態と同一である。
【００７０】
提示処理部１４Ａは、ＮＦＣタグ１６を有する。提示処理部１４Ａは、操作入力を受け付けた操作ボタン１１ａ、１１ｂ、１１ｃに対応する制御情報を情報記憶部１３から取り出して提示する。より詳細には、提示処理部１４Ａは、操作入力を受け付けた操作ボタン１１ａ、１１ｂ、１１ｃを示す信号が出力されると、対応する制御情報を情報記憶部１３から読み出す。また、読み出された制御情報は、後述するＮＦＣタグ１６の不揮発性メモリに書き込まれる。
【００７１】
ＮＦＣタグ１６は、図示しないアンテナ、不揮発性メモリ、および近距離無線通信（Ｎｅａｒ  Ｆｉｅｌｄ  Ｃｏｍｍｕｎｉｃａｔｉｏｎ：ＮＦＣ）を制御する制御回路などを備える。ＮＦＣタグ１６は、携帯端末装置２Ａとよく知られたＮＦＣ通信を行って、データのやり取りをする。ＮＦＣタグ１６は、提示処理部１４Ａによって不揮発性メモリに書き込まれた制御情報を、ＮＦＣ通信によって携帯端末装置２Ａに送出する。
【００７２】
次に、携帯端末装置２Ａの構成を説明する。
携帯端末装置２Ａは、ＮＦＣリーダ２２と、表示部２１とを有する。第１の実施の形態と同様に、携帯端末装置２Ａはスマートフォンなどの携帯通信端末によって実現される。
【００７３】
ＮＦＣリーダ２２は、図示しないアンテナと、ＮＦＣ通信を制御する制御回路などを備える。ＮＦＣリーダ２２は、携帯端末装置２Ａが制御機器１ＡとのＮＦＣ通信が可能な範囲内に入ると、制御機器１ＡにＮＦＣ通信の接続要求を送信し、制御機器１とのＮＦＣ通信を確立する。
【００７４】
ＮＦＣリーダ２２は、制御機器１のＮＦＣタグ１６から制御情報を読み取る。そして、表示部２１は、ＮＦＣリーダ２２が読み取った制御情報を表示する。
【００７５】
以上説明したように、第２の実施の形態によれば、制御機器１は、ＮＦＣ通信により操作ボタン１１ａ、１１ｂ、１１ｃが受け付けた操作入力に応じた制御情報を提示するので、制御機器１に表示画面を設けることなく、制御情報を提示することができる。
【００７６】
また、第２の実施の形態によれば、制御機器１はＮＦＣ通信により制御情報を提示するので、制御機器１が接続されている伝送路Ｌにおいて通信障害などが発生した場合であっても、必要な制御情報を提示することができる。
【００７７】
以上、本発明の制御機器、および情報提示システムにおける実施の形態について説明したが、本発明は説明した実施の形態に限定されるものではなく、請求項に記載した発明の範囲において当業者が想定し得る各種の変形を行うことが可能である。
【００７８】
例えば、説明した実施の形態では、操作部１１が有する複数の操作ボタン１１ａ、１１ｂ、１１ｃの各々には、一対一の関係で、互いに異なる制御情報が割り当てられている場合について説明した。しかし、操作部１１の操作ボタン１１ａ、１１ｂ、１１ｃのそれぞれには、複数の制御情報が割り当てられていてもよい。
【００７９】
例えば、各操作ボタン１１ａ、１１ｂ、１１ｃには、一般ユーザを対象にした制御情報とサービスマンを対象にした制御情報との両方の制御情報が割り当てられていてもよい。この場合、操作ボタン１１ａ、１１ｂ、１１ｃは、通常のボタン押下による操作入力を受け付けた場合には、一般ユーザを対象にした制御情報が提示され、例えば、同じ操作ボタンが長押しされた場合には、サービスマンを対象にした制御情報が提示される構成を採用してもよい。
【００８０】
このような構成が採用されることで、一般ユーザ用とサービスマン用の制御情報とのモードを切り替えることが可能となる。
【符号の説明】
【００８１】
１、１Ａ…制御機器、２、２Ａ…携帯端末装置、１０…割り当て設定部、１１…操作部、１１ａ、１１ｂ、１１ｃ…操作ボタン、１２…ＱＲコード処理部、１３…情報記憶部、１４、１４Ａ…提示処理部、１５…表示部、１５ａ…液晶画面、１６…ＮＦＣタグ、２０…ＱＲコード読取部、２１…表示部、２２…ＮＦＣリーダ、１０１…バス、１０２…演算装置、１０３…ＣＰＵ、１０４…主記憶装置、１０５…通信制御装置、１０６…外部記憶装置、１０６ｂ…割り当て設定記憶部、１０６ｃ…プログラム格納部、１０７…入力装置、１０８…表示装置、１０９…Ｉ／Ｆ、１１０…センサ。
【図１】
2019125898.tif 000004
【図２】
2019125898.tif 000005
【図３】
2019125898.tif 000006
【図４】
2019125898.tif 000007
【図５】
2019125898.tif 000008